(57)【要約】【課題】異なる文字或いは異なる文字形式によりアーティスト名やアルバム名などがID3タグ情報に登録されているファイルは、同じアーティストやアルバムなどであっても再生されないファイルがある。【解決手段】オーディオデータを再生するオーディオ再生装置において、異なる文字或いは異なる文字形式によりアーティスト名やアルバム名などがID3タグ情報に登録されているファイルが操作部の操作により複数のファイルのグループ化が指示された場合、選択された複数のファイルを１グループとしてグループ化し、当該グループのグループ情報を記憶部に記憶し、当該グループの再生が指示された場合は、当該グループに含まれるファイルを再生する。【選択図】      図１
2007242104.tif 000002
【特許請求の範囲】
【請求項１】
オーディオデータとID3タグ情報とを有するファイルが記録された記録媒体から当該記録媒体を識別する識別情報と各ファイルの記録位置を示すインデックス情報と前記ID3タグ情報とを読み出すとともに前記オーディオデータを読み出す再生部と、前記再生部により読み出されたオーディオデータをデコードするデコーダと、前記デコードされたオーディオデータをアナログオーディオ信号に変換するDAコンバータと、前記アナログオーディオ信号を増幅して出力する増幅部と、複数のファイルを１つのグループにグループ化するための指示を入力する操作部と、前記記録媒体に記録されたファイルのID3タグ情報に含まれる情報を表示する表示部と、前記識別情報、インデックス情報及びID3タグ情報からなる媒体情報と複数のファイルをグループ化したグループに関するグループ情報とを記憶する記憶部と、前記ID3タグ情報に含まれる情報を前記表示部に表示し、前記操作部の操作により複数のファイルのグループ化が指示された場合、選択された複数のファイルを１グループとしてグループ化し、当該グループのグループ情報を前記記憶部に記憶する制御を行う制御部とを備えたことを特徴とするオーディオ再生装置。
【請求項２】
請求項１記載のオーディオ再生装置において、前記制御部は、前記操作部の操作により複数のファイルのグループ化が指示された場合、ID3タグ情報に含まれるアーティスト名、アルバム名又はジャンル名のいずれかの情報を前記表示部に表示させ、異なる文字或いは異なる文字形式からなるアーティスト名、アルバム名又はジャンル名から選択された複数のファイルを１つのアーティスト名、アルバム名又はジャンル名からなるグループ名のグループとして前記グループ情報を前記記憶部に記憶することを特徴とするオーディオ再生装置。
【請求項３】
請求項１及び２のオーディオ再生装置において、前記制御部は、前記記録媒体に記録されている前記識別情報、前記インデックス情報及び前記ID3タグ情報と、前記記憶部に記憶されている前記識別情報、前記インデックス情報および前記ID3タグ情報とを比較し、当該記録媒体に前記記憶部に記憶されているグループに含まれていない新たなファイルが記録されていると判断した場合、当該新たに記録されたファイルを前記記憶部に記憶されている前記グループ情報に追加して新たなグループ情報を作成し前記記憶部に当該新たなグループ情報を記憶する制御を行うことを特徴とするオーディオ再生装置。
【発明の詳細な説明】
【技術分野】
【０００１】
本発明は、オーディオデータを記録した記録媒体を再生するオーディオ再生装置に関する。
【背景技術】
【０００２】
従来、オーディオデータを圧縮する技術として、MP3(MPEG-1 Audio Layer-3)形式の圧縮技術がある。MP3形式の圧縮技術では、元のオーディオデータの音質をほとんど劣化させることなく、データ量を約１／１０まで圧縮することができる。MP3形式の圧縮技術により圧縮されたオーディオデータは、CD-R(Compact Disc - Recordable)やCD-RW(Compact Disc - ReWritable)、或いは、半導体メモリを利用したメモリカードやUSB(Universal Serial Bus)メモリ等の記録媒体にMP3ファイルとして記録することができる。これらの記録媒体に記録されたMP3ファイルは、MP3ファイルをデコードするMP3デコーダを搭載した再生装置により再生することができる。
【０００３】
MP3ファイルには、MP3ファイルの末尾に128バイトのデータ領域が付加されているID3v1と呼ばれている形式のものがある。当該データ領域には、オーディオデータのタイトル、アーティスト名、アルバム名、時間、ジャンル、コメント、トラックナンバー等のID3タグ情報を記録することができる。
【０００４】
ID3タグ情報は、パーソナルコンピュータ等を使用して入力や編集を行うことができるが、音楽CDからMP3ファイルを作成するソフトウエアでは、インターネット上で音楽CDのアーティスト名、アルバム名などの情報を提供しているCDDB(Compact Disc DataBase)サーバを利用して、ID3タグ情報を自動で入力することができる。
【０００５】
特許文献1に開示されているように、MP3ファイルのID3タグ情報を利用し、英文字で記録された同じアーティスト名やアルバム名などのMP3ファイルについてグループを作成し、ユーザがグループを選択することにより、グループに含まれるMP3ファイルを再生することができるオーディオ再生装置がある。
【０００６】
【特許文献１】特開２００２−２３７７１号公報
【発明の開示】
【発明が解決しようとする課題】
【０００７】
前述したCDDBサーバに登録されている音楽CDの情報は、CDDBサーバのユーザが登録する方法で運用されている。CDDBサーバのユーザが音楽CDの情報を取得するため、CDDBサーバにアクセスしたとき、音楽CDの情報が登録されていない場合には、ユーザが、その音楽CDの情報をCDDBに新規登録することができる。
【０００８】
ユーザが音楽CDの情報をCDDBに新規登録するとき、ユーザによってはアーティスト名やアルバム名などを全て大文字の英字で登録する場合や、大文字と小文字を組み合わせた英文字で登録する場合や、ひらがな、カタカナ、漢字等で登録する場合などがあり、同じアーティスト名やアルバム名などであっても異なる文字或いは文字形式により登録されることがある。
【０００９】
このため、特許文献1に開示されているオーディオ再生装置においては、例えば、MP3ファイルのID3タグ情報に異なる文字(英文字、ひらがな、カタカナ、漢字)あるいは異なる文字形式(大文字、小文字)でアーティスト名が登録されていると、同じアーティスト名であっても別のアーティスト名と判断し、それぞれ別々にグループを作成する。このため、ユーザが特定のアーティスト名を指定してMP3ファイルを再生する場合に同じアーティストのMP3ファイル(楽曲)であっても再生されないMP3ファイルがある。
【００１０】
このような場合、ユーザは、特定のアーティストのMP3ファイルを再生する再に、同じアーティスト名であって異なる文字あるいは異なる文字形式で登録されているID3タグ情報を有するMP3ファイルを探し、当該MP3ファイルの再生を開始する操作を行わなければならず、煩わしい。
【００１１】
また、記録媒体に新たにMP3ファイルが記録され、当該MP3ファイルが記録媒体に記録されているMP3ファイルのアーティスト名やアルバム名などが同じであっても、当該MP3ファイルのID3タグ情報が記録媒体に既に記録されているMP3ファイルのID3タグ情報と文字或いは文字形式が異なる場合には、記録媒体に新たに記録されたMP3ファイルも記録媒体に既に記録されているMP3ファイルとは別のMP3ファイルと判断する。このため、新たに記録されたMP3ファイルを再生する場合には、当該MP3ファイルを選択し再生開始の操作を行わなければならず、煩わしい。
【００１２】
本発明は、同じアーティストやアルバムなどのMP3ファイルが異なる文字或いは異なる文字形式によりアーティスト名やアルバム名などがID3タグ情報に登録されている場合あっても、同じアーティスト名やアルバム名などのID3タグ情報を有するMP3ファイルを1つのグループにグループ化することができるオーディオ再生装置を提供することを目的とする。
【課題を解決するための手段】
【００１３】
本発明は、オーディオデータとID3タグ情報とを有するファイルが記録された記録媒体から当該記録媒体を識別する識別情報と各ファイルの記録位置を示すインデックス情報と前記ID3タグ情報とを読み出すとともに前記オーディオデータを読み出す再生部と、前記再生部により読み出されたオーディオデータをデコードするデコーダと、前記デコードされたオーディオデータをアナログオーディオ信号に変換するDAコンバータと、前記アナログオーディオ信号を増幅して出力する増幅部と、複数のファイルを１つのグループにグループ化するための指示を入力する操作部と、前記記録媒体に記録されたファイルのID3タグ情報に含まれる情報を表示する表示部と、前記識別情報、インデックス情報及びID3タグ情報からなる媒体情報と複数のファイルをグループ化したグループに関するグループ情報とを記憶する記憶部と、前記ID3タグ情報に含まれる情報を前記表示部に表示し、前記操作部の操作により複数のファイルのグループ化が指示された場合、選択された複数のファイルを１グループとしてグループ化し、当該グループのグループ情報を前記記憶部に記憶する制御を行う制御部とを備えたことを特徴とする。
【００１４】
本発明は、前述したオーディオ再生装置において、前記制御部は、前記操作部の操作により複数のファイルのグループ化が指示された場合、ID3タグ情報に含まれるアーティスト名、アルバム名又はジャンル名のいずれかの情報を前記表示部に表示させ、異なる文字或いは異なる文字形式からなるアーティスト名、アルバム名又はジャンル名から選択された複数のファイルを１つのアーティスト名、アルバム名又はジャンル名からなるグループ名のグループとして前記グループ情報を前記記憶部に記憶することを特徴とする。
【００１５】
本発明は、前述したオーディオ再生装置において、前記制御部は、前記記録媒体に記録されている前記識別情報、前記インデックス情報及び前記ID3タグ情報と、前記記憶部に記憶されている前記識別情報、前記インデックス情報および前記ID3タグ情報とを比較し、当該記録媒体に前記記憶部に記憶されているグループに含まれていない新たなファイルが記録されていると判断した場合、当該新たに記録されたファイルを前記記憶部に記憶されている前記グループ情報に追加して新たなグループ情報を作成し前記記憶部に当該新たなグループ情報を記憶する制御を行うことを特徴とする。
【発明の効果】
【００１６】
本発明によれば、同じアーティストやアルバムなどのMP3ファイルが異なる文字或いは異なる文字形式によりアーティスト名やアルバム名などがID3タグ情報に登録されている場合あっても、同じアーティスト名やアルバム名などのID3タグ情報を有するMP3ファイルを1つのグループにグループ化することができる。
【発明を実施するための最良の形態】
【００１７】
図１は、本発明のオーディオ再生装置の一実施形態のブロック図を示す。
オーディオ再生装置は、再生部1、デコーダ2、DAC(Digital Analog Converter)3、増幅部4、操作部5、表示部6、記憶部7、制御部8を備える。
【００１８】
再生部1は、MP3ファイル(楽曲)が記録されている記録媒体を再生し、記録媒体から読み出したデータをデコーダ2に出力する。なお、本実施例では、再生部1は、記録媒体を再生するものとして説明するが、ネットワークを介して送信されてくるファイル(オーディオデータ)を受信するなどを行うようにしてもよい。
【００１９】
デコーダ2は、再生部1から入力するMP3ファイルをデコードする。DAC3は、デコーダ2によりデコードされたデジタルオーディオデータをアナログオーディオ信号に変換する。増幅部4は、DAC3から入力するアナログオーディオ信号を後述する操作部5で指定された信号レベルに増幅し、出力端子から出力する。
【００２０】
操作部5は、再生するMP3ファイルの選択、グループ化するMP3ファイルの選択、オーディオデータの再生開始・再生停止、オーディオデータの信号レベル(音量)を調整するキーなどを備え、ユーザのキー入力に対応する指示信号を後述する制御部8に出力する。表示部6は、記録媒体に記録されたMP3ファイル等に関する情報などを表示する。記憶部7は、後述する制御部8の制御に基づいて識別情報、インデックス情報、ID3タグ情報等を記憶する。
【００２１】
制御部8は、オーディオ再生装置全体を総合的に制御する。制御部8は、操作部5から入力する指示信号に基づいて記録媒体に記録されたMP3ファイルの選択、MP3ファイルのオーディオデータの再生等の制御を行う。制御部8は、操作部5から入力する指示信号に基づいて、MP3ファイルのID3タグ情報やインデックス情報を参照し、選択されさたMP3ファイルを抽出し、それらのMP3ファイルをグループ化するグループ化処理の制御を行う。
【００２２】
図２は、本実施形態のオーディオ再生装置における記録媒体に記録されているMP3ファイルの一例を説明する図である。
ここで、記録媒体には、例えば、図2(a)に示すような楽曲のMP3ファイルが記録されている。ID3タグ情報において、アーティスト名「THE BEATLES」が全て大文字の英文字で記録されているMP3ファイルは、図2(b)に示すように「HELP!」と「PLEASE PLEASE ME」であり、アーティスト名「The Beatles」が大文字と小文字とからなる英文字で記録されているMP3ファイルは、図2(c)に示すように「Yellow Submarine」と「A Hard Day’s Night」であり、アーティスト名「ビートルズ」がカタカナで記録されているMP3ファイルは、図2(d)に示すように「レット・イット・ビー」と「ラバー・ソウル」である。
【００２３】
図３は、本実施形態のオーディオ再生装置における表示部の表示の一例を説明する図である。
また、ユーザが、アーティスト名、アルバム名、ジャンル名などによりMP3ファイルの選択を行う場合、図3(a)に示すトップメニューが表示部6に表示される。ユーザが操作部5を操作し、「１．アーティスト」を選択した場合、図3(b)に示すようにアーティストリストが表示部6に表示され、「２．アルバム」を選択した場合、図3(c)に示すようにアルバムリストが表示部6に表示され、「３．ジャンル」を選択した場合、図3(d)に示すようにジャンルリストが表示部6に表示される。
【００２４】
本実施形態のオーディオ再生装置の動作を説明する。
図４は、本実施形態のオーディオ再生装置の動作を説明するフローチャートである。
制御部8は、再生部1にMP3ファイルが記録されている記録媒体が装着されると(ステップS101)、記録媒体の管理情報から記録媒体を識別するための識別情報、記録媒体に記録されているMP3ファイルの記録位置を示すインデックス情報、MP3ファイルのID3タグ情報を取得する(ステップS102)。
【００２５】
制御部8は、取得した識別情報を参照し、記憶部7に同じ識別情報の媒体情報が記憶されているか否かを確認する(ステップS103)。記録媒体から取得した識別情報と同じ識別情報の媒体情報が記憶部7に記憶されている場合、制御部8は、当該記録媒体が以前に再生したことがある記録媒体であると判断し、後述するステップS303に移行する。記録媒体から取得した識別情報と同じ識別情報の媒体情報が記憶部7に記憶されてない場合、制御部8は、当該記録媒体は初めて再生する記録媒体であると判断し、記録媒体から取得した識別情報にインデックス情報及びID3タグ情報とを関連付けて媒体情報として記憶部7に記憶する(ステップS104)。
【００２６】
制御部8は、記憶部7に記憶した全てのMP3ファイルのID3タグ情報に格納されているアーティスト情報、アルバム情報、ジャンル情報などの情報からアーティストリスト情報、アルバムリスト情報、ジャンルリスト情報などのリスト情報を作成し、記憶部7に記憶する(ステップS105)。例えば、アーティストリスト情報は、図3(b)に示すように「Aerosmith」、「The Beatles」、「THE BEATLES」、「ビートルズ」のように作成される。これは、後述する再生するMP3ファイルを選択する際、トップメニューに表示するアーティストリスト、アルバムリスト、ジャンルリスト等を表示する際に用いる。
【００２７】
ユーザの操作部5の操作により、再生するMP3ファイル選択の指示があった場合、制御部8は、記憶部7に記憶されたID3タグ情報のタイトル情報(例えば、アーティスト情報、アルバム情報、ジャンル情報などの項目)からタイトルリストを作成し、表示部6に図3(a)に示すトップメニューを表示させる(ステップS106)。タイトルリストは、ID3タグ情報に含まれているアーティスト情報、アルバム情報、ジャンル情報などからMP3ファイルの選択に用いることかできる項目から作成される。一般的には、アーティスト名、アルバム名、ジャンル名が用いられる。
【００２８】
ユーザは、操作部5を操作し、表示部6に表示されたタイトルリストから再生するMP3ファイルの選択に用いるタイトル選択を行う(ステップS107)。本実施例では、アーティスト名を選択するものとする。図3(a)に示すトップメニューにおいて、「１．アーティスト」を選択した場合、制御部8は、記憶部7に記憶したアーティストリスト情報に基づいて、図3(b)に示すように表示部6にアーティストリストを表示する(ステップS108)。
【００２９】
図3(b)に示すアーティストリストでは、アーティスト名「The Beatles」、「THE BEATLES」、「ビートルズ」は、同じアーティストであるが、MP3ファイルのID3タグ情報のアーティスト名が異なる文字或いは異なる文字形式により記録されているため、3つの異なるアーティストとして表示される。
【００３０】
この状態において、ユーザが操作部5を操作し、再生対象の、例えば「The Beatles」を選択すると(ステップS109)、制御部8は、記憶部7に記憶されているMP3ファイルのID3タグ情報のアーティスト情報を参照し、図2(c)に示す「Yellow Submarine」、「A Hard Day’s Night」のMP3ファイルを選択する(ステップS110)。そして、制御部8は、記憶部7に記憶されたMP3ファイルのインデックス情報を参照し、記録媒体から選択されたMP3ファイルのオーディオデータを読み出す(ステップS111)。
【００３１】
デコーダ2は、再生部1により記録媒体から読み出されたオーディオデータをデコードし、DAC3に出力する(ステップS112)。デコードされたオーディオデータは、DAC3によりデジタルオーディオデータからアナログオーディオ信号に変換され、増幅部4により増幅され出力端子から出力(再生)される(ステップS113)。アナログオーディオ信号は、出力端子に接続されたスピーカ等から出力される。
【００３２】
前述した実施形態においては、アーティスト名「The Beatles」、「THE BEATLES」、「ビートルズ」は、同じアーティストであるが、MP3ファイルのID3タグ情報のアーティスト名が異なる文字或いは異なる文字形式により記録されているため、3つの異なるアーティスト名のMP3ファイルとして表示され、いずれか一つを選択した場合、他のアーティスト名のMP3ファイルは再生されない。
【００３３】
次に、MP3ファイルのID3タグ情報のアーティスト名が異なる文字或いは異なる文字形式により記録されているが、同じアーティストである場合に、それらを1つのグループにグループ化する動作について説明する。本実施形態においては、アーティスト名に基づいてMP3ファイルを選択しグループ化する場合について説明する。
図５は、本実施形態のオーディオ再生装置におけるグループ化の動作を説明するフローチャートである。
図６は、本実施形態のオーディオ再生装置におけるグループ化の動作における表示部の画面を示す図である。
【００３４】
表示部6に図6(a)に示すアーティストリストが表示されている状態で、ユーザが操作部5を操作し、表示部6に表示されたアーティストリストからグループ化するアーティスト名を選択する(ステップS201)。具体的には、図6(b)に示すように、「２．The Beatles」、「３．THE BEATLES」、「４．ビートルズ」を選択する。
【００３５】
ユーザの操作部5の操作に基づいて、制御部8は、選択されたアーティスト名のアーティスト情報を有するMP3ファイルを記憶部7に記憶された媒体情報から検出する(ステップS202)。制御部8は、検出した媒体情報に基づいて、選択されたアーティスト名のアーティスト情報を有する複数のMP3ファイルのグループ選択リストを作成し、当該グループ選択リストを図6(c)に示すように表示部6に表示させる(ステップS203)。
【００３６】
その後、予め定めた時間(例えば、2秒)経過後、或いは、ユーザが操作部5により「決定」キーが操作された後(ステップS204)、選択された３つのアーティスト名を有するMP3ファイルを１つのグループにグループ化する(ステップS205)。
【００３７】
グループ化は、選択された３つのアーティスト名を有するMP3ファイルを１つのグループとし、当該グループに１つのグループ名を付与し、グループ情報として記憶部７に記憶する。このとき、グループ名は、選択した３つのアーティスト名から選択するようにしてもよく、新たにユーザが入力したアーティスト名とするようにしてもよい。グループ化された後、表示部6には、図6(d)に示すように表示される。図6(d)において、「Ｇ」が表示され、グループ化されたことを示す。
【００３８】
これにより、3つの異なる文字或いは異なる文字形式で登録されているアーティスト名「The Bestles」、「THE BEATLES」、「ビートルズ」が、グループ名「The Bestles」の１つのグループとして記憶部7に記憶される。そして、ユーザが当該グループ名を選択して再生開始を指示すると、オーディオ再生装置は、当該グループに含まれる複数のMP3ファイルを再生する。
【００３９】
前述した実施形態において、再生部1に装着された記録媒体に記録されたMP3ファイルについてグループ化を行う場合について説明したが、当該記録媒体にさらに新たなMP3ファイルが追加記録された場合のグループ化について説明する。
図７は、本実施形態のオーディオ再生装置において記録媒体に新たにMP3ファイルが記録された場合のグループ化の動作を説明するフローチャートである。
【００４０】
前述のように、再生部1に装着された記録媒体に記録されたMP3ファイルについて、グループ名「The Bestles」としてグループ化が行われた後、当該記録媒体に新たにアーティスト名「ビートルズ」の２つのアルバム「４人はアイドル」「アビイ・ロード」が記録されたとする。記録媒体への新たなMP3ファイルの記録は、当該オーディオ再生装置が記録機能を有する場合は当該オーディオ再生装置で記録を行うことができ、また、他の記録装置によって記録を行うことができる。
【００４１】
当該記録媒体がオーディオ再生装置の再生部1に装着されると、制御部8は、記録媒体に管理情報を参照し、記憶部7に記憶されている媒体情報と比較し、当該記録媒体が以前に再生した記録媒体であるか否かを確認する(ステップS301)。当該記録媒体が以前に再生した記録媒体であるか否かを確認は、記録媒体から取得した識別情報が記憶部7に記憶されているか否かにより確認し、記録媒体から取得した識別情報が記憶部7に記憶されている場合、当該記録媒体が以前に再生した記録媒体であると判断する。
【００４２】
以前に再生したことがない記録媒体である場合(初めて再生する記録媒体である場合)、図４のステップS104以降の動作を行う(ステップS302)。また、以前に再生したことがある記録媒体であった場合、制御部8は、記録媒体から取得したID3タグ情報と記憶部7に記憶されている媒体情報のID3タグ情報とを比較し、当該記録媒体に新たなMP3ファイルが記録されているか否かを確認する(ステップS303)。
【００４３】
当該記録媒体に新たなMP3ファイルが記録されてない場合は、図４のステップS104以降の動作を行う(ステップS302)。当該記録媒体に新たなMP3ファイルが記録されている場合、制御部8は、記憶部7に記憶されているグループ情報から当該記録媒体についてグループ化されたMP3ファイルの有無を確認する(ステップS304)。
【００４４】
当該記録媒体についてグループ化されたMP3ファイルがない場合は、図４のステップS104以降の動作を行う(ステップS302)。当該記録媒体についてグループ化されたMP3ファイルがある場合、制御部8は、当該MP3ファイルのインデックス情報及びID3タグ情報を検出し、記録媒体から取得したID3タグ情報のアーティスト名から記憶部7に記憶されている既存のグループ情報に含まれるアーティスト名と同じアーティスト名のアーティスト情報を有するMP3ファイルの有無を確認する(ステップS305)。
【００４５】
記憶部7に記憶されているグループ情報に含まれるアーティスト名と同じアーティスト名のアーティスト情報を有するMP3ファイルが無い場合は、図４のステップS104以降の動作を行う(ステップS302)。記憶部7に記憶されているグループ情報に含まれるアーティスト名と同じアーティスト名のアーティスト情報を有するMP3ファイルがある場合は、制御部8は、グループ情報に含まれるアーティスト名と同じアーティスト名のアーティスト情報を有するMP3ファイルを、自動的に当該グループに追加してグループ情報を更新し、当該グループ情報を記憶部7に記憶する(ステップS306)。
【００４６】
具体的には、記憶部7に既存のグループ情報としてアーティスト名でグループ化されたグループ名「The Bestles」があり、記録媒体に新たに記録されたMP3ファイルが「ビートルズ」のアーティスト名である場合、制御部8は、グループ名「The Bestles」のグループ情報に含まれるアーティスト名「The Bestles」、「THE BEATLES」、「ビートルズ」と、記録媒体に新たに記録されたMP3ファイルのアーティスト名「ビートルズ」とを比較する。それらが同じアーティスト名であった場合、制御部8は、記録媒体に新たに記録されたアーティスト名「ビートルズ」のMP3ファイル「４人はアイドル」「アビイ・ロード」も、グループ名「The Bestles」のグループに含めるようグループ情報を更新し、記憶部7に記憶する。
【００４７】
すなわち、本実施形態のオーディオ再生装置においては、一度、記憶部7に記憶されたグループ情報があり、記録媒体に新たなMP3ファイルが記録され、新たに記録されたMP3ファイルのID3タグ情報に記憶部7に記憶されているグループ情報に含まれる情報と同じ情報がある場合、自動的に、記録媒体に新たな記録されたMP3ファイルも、記憶部7に記憶されているグループに追加しグループ情報を更新する。このことにより、ユーザが記録媒体に新たなMP3ファイルを記録する毎に、グループ化する作業をすることなく、既存のグループ情報に含まれるアーティスト名と同じアーティスト名のMP3ファイルを再生することができる。
【００４８】
前述した実施形態においては、アーティスト名を例に挙げて説明したが、ID3タグ情報に含まれる情報(アルバム名、ジャンル名など)によりグループ化を行うこともできる。また、前述した実施形態では、アーティスト名などのID3タグ情報として英文字とカタカナを例に挙げて説明したが、ひらがな、漢字でも同様にグループ化をすることができる。ひらがな、カタカナ、漢字の場合、シフトJISコード等のコードを用いることにより、文字の一致不一致を確認することかでき、前述した既存グループの情報と新たに記録されたMP3ファイルのID3タグ情報に含まれる情報との比較を行うことができる。
【００４９】
以上のように、本実施形態のオーディオ再生装置では、ID3タグ情報に記録されているアーティスト情報やアルバム情報などが同じであるが、アーティスト名やアルバム名などが異なる文字或いは文字形式で記録された場合であっても、それらのMP3ファイルを同じグループとして登録することができる。このことにより、異なる文字或いは文字形式で登録されたMP3ファイルを1グループとして記録かることができるため、グループ単位で再生する際に確実に同じアーティストやアルバムなどの情報に基づいてMP3ファイルを再生することができる。
【００５０】
なお、本実施形態においては、記録場対に記録されたデータとしてMP3ファイルを例に挙げて説明したが、ID3タグ情報を記録可能なファイルであれば、例えば、WMA(Windows(登録商標) Media Audio)などの他の形式のファイルにも適用できる。
【図面の簡単な説明】
【００５１】
【図１】本発明のオーディオ再生装置の一実施形態のブロック図。
【図２】本実施形態のオーディオ再生装置における記録媒体に記録されているMP3ファイルの一例を説明する図。
【図３】本実施形態のオーディオ再生装置における表示部の表示の一例を説明する図。
【図４】本実施形態のオーディオ再生装置の動作を説明するフローチャート。
【図５】本実施形態のオーディオ再生装置におけるグループ化の動作を説明するフローチャート。
【図６】本実施形態のオーディオ再生装置におけるグループ化の動作における表示部の画面を示す図。
【図７】本実施形態のオーディオ再生装置において記録媒体に新たにMP3ファイルが記録された場合のグループ化の動作を説明するフローチャート。
【符号の説明】
【００５２】
１・・・再生部、２・・・デコーダ、３・・・DAC、４・・・増幅部、５・・・操作部、６・・・表示部、７・・・記憶部、８・・・制御部
【図１】
2007242104.tif 000003
【図２】
2007242104.tif 000004
【図３】
2007242104.tif 000005
【図４】
2007242104.tif 000006
【図５】
2007242104.tif 000007
【図６】
2007242104.tif 000008
【図７】
2007242104.tif 000009